(57)【要約】【課題】イオン風の静圧を十分に確保しつつ、長寿命化が図れるイオン送風装置を提供する。【解決手段】イオン送風装置４は、イオンＭを発生させる第１電極６Ａ、及び第１電極６Ａよりも高い電位に設定される第２電極６Ｂを有し、第１電極６Ａから第２電極６Ｂに向うイオン風Ｗを発生させる第１送風部６と、イオンＭを発生させる第３電極７Ａ、及び第３電極７Ａよりも高い電位に設定される第４電極７Ｂを有し、第３電極７Ａから第４電極７Ｂに向うイオン風Ｗを発生させる第２送風部７とを備える。第１，第２送風部６，７は、イオン風Ｗの流通方向に沿って第１〜第４電極６Ａ，６Ｂ，７Ａ，７Ｂの順に並ぶように配設される。第３電極７Ａの電位は、第２電極６Ｂの電位以上の電位に設定されている。【選択図】図３
2013201846.tif 000002
【特許請求の範囲】
【請求項１】
イオンを発生させる第１電極、及び前記第１電極よりも高い電位に設定される第２電極を有し、前記第１電極から前記第２電極に向うイオン風を発生させる第１送風部と、
イオンを発生させる第３電極、及び前記第３電極よりも高い電位に設定される第４電極を有し、前記第３電極から前記第４電極に向うイオン風を発生させる第２送風部とを備え、
前記第１送風部及び前記第２送風部は、
イオン風の流通方向に沿って前記第１電極、前記第２電極、前記第３電極、及び前記第４電極の順に並ぶように配設され、
前記第３電極の電位は、
前記第２電極の電位以上の電位に設定されている
ことを特徴とするイオン送風装置。
【請求項２】
請求項１に記載のイオン送風装置において、
イオンを発生させる第５電極、及び前記第５電極よりも高い電位に設定される第６電極を有し、前記第５電極から前記第６電極に向うイオン風を発生させる第３送風部と、
イオンを発生させる第７電極、及び前記第７電極よりも高い電位に設定される第８電極を有し、前記第７電極から前記第８電極に向うイオン風を発生させる第４送風部とを備え、
前記第３送風部及び前記第４送風部は、
イオン風の流通方向に沿って前記第５電極、前記第６電極、前記第７電極、及び前記第８電極の順に並ぶように配設されているとともに、前記第１送風部及び前記第２送風部に対してイオン風の流通方向が同一方向となるようにそれぞれ並設され、
前記第７電極の電位は、
前記第２電極及び前記第６電極の各電位以上の電位に設定され、
前記第６電極の電位は、
前記第３電極の電位以下の電位に設定されている
ことを特徴とするイオン送風装置。
【請求項３】
イオンを発生させる第１電極、及び前記第１電極よりも低い電位に設定される第２電極を有し、前記第１電極から前記第２電極に向うイオン風を発生させる第１送風部と、
イオンを発生させる第３電極、及び前記第３電極よりも低い電位に設定される第４電極を有し、前記第３電極から前記第４電極に向うイオン風を発生させる第２送風部とを備え、
前記第１送風部及び前記第２送風部は、
イオン風の流通方向に沿って前記第１電極、前記第２電極、前記第３電極、及び前記第４電極の順に並ぶように配設され、
前記第３電極の電位は、
前記第２電極の電位以下の電位に設定されている
ことを特徴とするイオン送風装置。
【請求項４】
請求項３に記載のイオン送風装置において、
イオンを発生させる第５電極、及び前記第５電極よりも低い電位に設定される第６電極を有し、前記第５電極から前記第６電極に向うイオン風を発生させる第３送風部と、
イオンを発生させる第７電極、及び前記第７電極よりも低い電位に設定される第８電極を有し、前記第７電極から前記第８電極に向うイオン風を発生させる第４送風部とを備え、
前記第３送風部及び前記第４送風部は、
イオン風の流通方向に沿って前記第５電極、前記第６電極、前記第７電極、及び前記第８電極の順に並ぶように配設されているとともに、前記第１送風部及び前記第２送風部に対してイオン風の流通方向が同一方向となるようにそれぞれ並設され、
前記第７電極の電位は、
前記第２電極及び前記第６電極の各電位以下の電位に設定され、
前記第６電極の電位は、
前記第３電極の電位以上の電位に設定されている
ことを特徴とするイオン送風装置。
【請求項５】
請求項１から請求項４のいずれかに記載のイオン送風装置において、
前記第２電極及び前記第３電極は、
電気的に接続され、同一の電位となるように設定されている
ことを特徴とするイオン送風装置。
【請求項６】
請求項２または請求項４に記載のイオン送風装置において、
前記第２電極、前記第３電極、前記第６電極、及び前記第７電極は、
電気的に接続され、同一の電位となるように設定されている
ことを特徴とするイオン送風装置。
【請求項７】
請求項１または請求項３に記載のイオン送風装置において、
イオンを発生させる第５電極、及び前記第５電極に対向する第６電極を有し、前記第５電極から前記第６電極に向うイオン風を発生させる第３送風部と、
イオンを発生させる第７電極、及び前記第７電極に対向する第８電極を有し、前記第７電極から前記第８電極に向うイオン風を発生させる第４送風部とを備え、
前記第３送風部及び前記第４送風部は、
イオン風の流通方向に沿って前記第５電極、前記第６電極、前記第７電極、及び前記第８電極の順に並ぶように配設されているとともに、前記第１送風部及び前記第２送風部に対してイオン風の流通方向が同一方向となるようにそれぞれ並設され、
前記第１送風部及び前記第２送風部と前記第３送風部及び前記第４送風部との間には、
絶縁性の障壁が設けられている
ことを特徴とするイオン送風装置。
【請求項８】
光源装置と、前記光源装置から出射された光束を変調する光変調装置と、前記光変調装置にて変調された光束を投射する投射光学装置とを備えたプロジェクターであって、
請求項１から請求項７のいずれかに記載のイオン送風装置を備える
ことを特徴とするプロジェクター。
【発明の詳細な説明】
【技術分野】
【０００１】
本発明は、イオン送風装置及びプロジェクターに関する。
【背景技術】
【０００２】
従来、イオンを発生させ、当該イオンを電気的に移動させることで、空気の移動（所謂イオン風）を生じさせるイオン送風装置（イオン風発生装置）が知られている（例えば、特許文献１参照）。
特許文献１に記載のイオン送風装置は、一対の電極を有し、一対の電極間に電圧を印加することで、陰極として機能する一方の電極付近の空気をマイナスイオンにイオン化し、当該マイナスイオンを陽極として機能する他方の電極に移動させる。
そして、マイナスイオンの移動に伴い、当該マイナスイオンが他の空気分子に衝突することで、陰極として機能する一方の電極から陽極として機能する他方の電極に向うイオン風が生じることとなる。
以上のようなイオン送風装置を用いることで、従来の一般的な冷却ファンを用いる場合と比較して、ファンの回転による風切り音が発生しないため、静粛性を確保することができる。
【先行技術文献】
【特許文献】
【０００３】
【特許文献１】特開２００４−１９１７６７号公報
【発明の概要】
【発明が解決しようとする課題】
【０００４】
ところで、上述したようなイオン送風装置としては、一対の電極間に流れる電流を増加させた場合には、イオン風の静圧が高くなるという特性を有する。
すなわち、イオン風の静圧を十分に確保するためには、一対の電極間に流れる電流を増加させる必要がある。
しかしながら、一対の電極間に流れる電流を増加させた場合には、電極に異物が蓄積しやすいものとなる。そして、電極に異物が蓄積した場合には、イオン送風装置の性能が劣化してしまい、イオン送風装置の長寿命化が図れない。
【０００５】
本発明の目的は、イオン風の静圧を十分に確保しつつ、長寿命化が図れるイオン送風装置及びプロジェクターを提供することにある。
【課題を解決するための手段】
【０００６】
本発明のイオン送風装置は、イオンを発生させる第１電極、及び前記第１電極よりも高い電位に設定される第２電極を有し、前記第１電極から前記第２電極に向うイオン風を発生させる第１送風部と、イオンを発生させる第３電極、及び前記第３電極よりも高い電位に設定される第４電極を有し、前記第３電極から前記第４電極に向うイオン風を発生させる第２送風部とを備え、前記第１送風部及び前記第２送風部は、イオン風の流通方向に沿って前記第１電極、前記第２電極、前記第３電極、及び前記第４電極の順に並ぶように配設され、前記第３電極の電位は、前記第２電極の電位以上の電位に設定されていることを特徴とする。
【０００７】
本発明では、イオン送風装置は、陰極として機能する第１，第３電極によりマイナスイオンを発生させ、第１，第３電極から第２，第４電極に向うイオン風を発生させる第１，第２送風部を備える。そして、第１，第２送風部は、イオン風の流通方向に沿って直列に（第１〜第４電極の順に）配設されている。
すなわち、第１，第２送風部をイオン風の流通方向に沿って直列に配設することで、従来の一対の電極のみを有するイオン送風装置と比較して、第１，第２電極間や第３，第４電極間に流れる電流を必要以上に増加させなくても、イオン風の静圧を高めることができる。
また、第１，第２電極間や第３，第４電極間に流れる電流を抑えることができるため、第１〜第４電極に異物が蓄積することを抑制し、イオン送風装置の長寿命化が図れる。
したがって、イオン風の静圧を十分に確保しつつ、イオン送風装置の長寿命化が図れる。
【０００８】
ところで、第１，第２送風部をイオン風の流通方向に沿って直列に配設する際、例えば、第１，第３電極の各電位を同一の電位に設定し、第２，第４電極の各電位を同一の電位に設定した場合には、以下の問題が生じてしまう。
すなわち、上述した場合には、第３電極の電位は、第２電極の電位より低い電位に設定されることとなる。
このため、第３，第４電極間に電圧を印加した場合に、第３電極により発生したマイナスイオンは、第３電極よりも電位の高い第４電極に向けて移動する他、第３電極よりも電位の高い第２電極に向けても移動してしまう。
すなわち、マイナスイオンの移動方向を所望の移動方向（第３電極から第４電極への方向）に設定することができず、イオン風の静圧を十分に確保するという上述した効果を相殺してしまう。
本発明では、第３電極の電位は、第２電極の電位以上の電位に設定されている。
このことにより、第３電極から第２電極に向うマイナスイオンの移動を防止し、マイナスイオンの移動方向を所望の移動方向に設定することができ、イオン風の静圧を十分に確保することができる。
【０００９】
本発明のイオン送風装置では、イオンを発生させる第５電極、及び前記第５電極よりも高い電位に設定される第６電極を有し、前記第５電極から前記第６電極に向うイオン風を発生させる第３送風部と、イオンを発生させる第７電極、及び前記第７電極よりも高い電位に設定される第８電極を有し、前記第７電極から前記第８電極に向うイオン風を発生させる第４送風部とを備え、前記第３送風部及び前記第４送風部は、イオン風の流通方向に沿って前記第５電極、前記第６電極、前記第７電極、及び前記第８電極の順に並ぶように配設されているとともに、前記第１送風部及び前記第２送風部に対してイオン風の流通方向が同一方向となるようにそれぞれ並設され、前記第７電極の電位は、前記第２電極及び前記第６電極の各電位以上の電位に設定され、前記第６電極の電位は、前記第３電極の電位以下の電位に設定されていることが好ましい。
【００１０】
本発明では、イオン送風装置は、第１，第２送風部の他、当該第１，第２送風部と同様に、第５，第７電極を陰極として機能させ、第６，第８電極を陽極として機能させ、イオン風の流通方向に沿って直列に（第５〜第８電極の順に）配設された第３，第４送風部を備える。そして、第３，第４送風部は、第１，第２送風部に対してイオン風の流通方向が同一方向となるようにそれぞれ並設されている。
このことにより、第１，第２送風部によるイオン風に第３，第４送風部によるイオン風を加えることができるため、イオン送風装置からのイオン風の風量を増加させることができる。
また、第７電極の電位は、第６電極の電位以上の電位に設定されている。
このことにより、第３，第４送風部において、第７電極から第６電極に向うマイナスイオンの移動を防止し、マイナスイオンの移動方向を所望の移動方向（第７電極から第８電極への方向）に設定することができ、イオン風の静圧を十分に確保することができる。
【００１１】
ところで、第１，第２送風部と第３，第４送風部とを上述したように並設する際、例えば、第７電極の電位を第２電極の電位よりも低い電位に設定し、第６電極の電位を第３電極の電位よりも高い電位に設定した場合には、以下の問題が生じてしまう。
すなわち、第３電極により発生したマイナスイオンは、第３電極よりも電位の高い第４電極に向けて移動する他、第３電極よりも電位の高い第６電極に向けて移動してしまう。
同様に、第７電極により発生したマイナスイオンは、第７電極よりも電位の高い第８電極に向けて移動する他、第７電極よりも電位の高い第２電極に向けて移動してしまう。
すなわち、第１〜第４送風部において、マイナスイオンの移動方向を所望の移動方向（第１電極から第４電極への方向（第５電極から第８電極への方向））に設定することができず、イオン風の静圧を十分に確保し、かつ、風量を増加させることができるという上述した効果を相殺してしまう。
本発明では、第７電極の電位は、第２電極の電位以上の電位に設定されている。また、第６電極の電位は、第３電極の電位以下の電位に設定されている。
このことにより、第３電極から第６電極に向うマイナスイオンの移動や、第７電極から第２電極に向うマイナスイオンの移動を防止できる。すなわち、マイナスイオンの移動方向を所望の移動方向に設定することができ、イオン風の静圧を十分に確保し、かつ、風量を増加させることができる。
【００１２】
本発明のイオン送風装置は、イオンを発生させる第１電極、及び前記第１電極よりも低い電位に設定される第２電極を有し、前記第１電極から前記第２電極に向うイオン風を発生させる第１送風部と、イオンを発生させる第３電極、及び前記第３電極よりも低い電位に設定される第４電極を有し、前記第３電極から前記第４電極に向うイオン風を発生させる第２送風部とを備え、前記第１送風部及び前記第２送風部は、イオン風の流通方向に沿って前記第１電極、前記第２電極、前記第３電極、及び前記第４電極の順に並ぶように配設され、前記第３電極の電位は、前記第２電極の電位以下の電位に設定されていることを特徴とする。
【００１３】
本発明では、イオン送風装置は、陽極として機能する第１，第３電極によりプラスイオンを発生させ、第１，第３電極から第２，第４電極に向うイオン風を発生させる第１，第２送風部を備える。そして、第１，第２送風部は、イオン風の流通方向に沿って直列に（第１〜第４電極の順に）配設されている。
すなわち、マイナスイオンの移動に伴ってイオン風を発生させる上述した第１，第２送風部に対して、第１，第３電極を陽極として機能させ、第２，第４電極を陰極として機能させる点が異なるのみである。
このため、マイナスイオンの移動に伴ってイオン風を発生させる上述したイオン送風装置と同様に、イオン風の静圧を十分に確保しつつ、イオン送風装置の長寿命化が図れる。
また、第１，第３電極を陽極として機能させ、第２，第４電極を陰極として機能させることに伴い、第３電極の電位を第２電極の電位以下の電位に設定している。
このことにより、マイナスイオンの移動に伴ってイオン風を発生させる上述したイオン送風装置と同様に、プラスイオンの移動方向を所望の移動方向（第３電極から第４電極への方向）に設定することができ、イオン風の静圧を十分に確保することができる。
【００１４】
本発明のイオン送風装置では、イオンを発生させる第５電極、及び前記第５電極よりも低い電位に設定される第６電極を有し、前記第５電極から前記第６電極に向うイオン風を発生させる第３送風部と、イオンを発生させる第７電極、及び前記第７電極よりも低い電位に設定される第８電極を有し、前記第７電極から前記第８電極に向うイオン風を発生させる第４送風部とを備え、前記第３送風部及び前記第４送風部は、イオン風の流通方向に沿って前記第５電極、前記第６電極、前記第７電極、及び前記第８電極の順に並ぶように配設されているとともに、前記第１送風部及び前記第２送風部に対してイオン風の流通方向が同一方向となるようにそれぞれ並設され、前記第７電極の電位は、前記第２電極及び前記第６電極の各電位以下の電位に設定され、前記第６電極の電位は、前記第３電極の電位以上の電位に設定されていることが好ましい。
【００１５】
本発明では、イオン送風装置は、第１，第２送風部の他、当該第１，第２送風部と同様に、第５，第７電極を陽極として機能させ、第６，第８電極を陰極として機能させ、イオン風の流通方向に沿って直列に（第５〜第８電極の順に）配設された第３，第４送風部を備える。そして、第３，第４送風部は、第１，第２送風部に対してイオン風の流通方向が同一方向となるようにそれぞれ並設されている。
すなわち、マイナスイオンの移動に伴ってイオン風を発生させる上述した第３，第４送風部に対して、第５，第７電極を陽極として機能させ、第６，第８電極を陰極として機能させる点が異なるのみである。
このため、マイナスイオンの移動に伴ってイオン風を発生させる上述したイオン送風装置と同様に、イオン送風装置からのイオン風の風量を増加させることができる。
【００１６】
また、第５，第７電極を陽極として機能させ、第６，第８電極を陰極として機能させることに伴い、第７電極の電位を第２，第６電極の各電位以下の電位に設定し、第６電極の電位を第３電極の電位以上の電位に設定している。
このことにより、マイナスイオンの移動に伴ってイオン風を発生させる上述したイオン送風装置と同様に、プラスイオンの移動方向を所望の移動方向（第１電極から第４電極への方向（第５電極から第８電極への方向））に設定することができ、イオン風の静圧を十分に確保し、かつ、風量を増加させることができる。
【００１７】
本発明のイオン送風装置では、前記第２電極及び前記第３電極は、電気的に接続され、同一の電位となるように設定されていることが好ましい。
本発明によれば、第２，第３電極を同一の電位に設定したとしても、イオン（マイナスイオンやプラスイオン）の移動方向を所望の移動方向（第３電極から第４電極への方向）に設定することができる。
そして、第２，第３電極を電気的に接続し、第２，第３電極を同一の電位となるように設定すれば、例えば、第２，第３電極に対して独立した配線を行い、第２，第３電極を異なる電位となるように設定する構成と比較して、第１〜第４電極に対して電圧を印加する構成を簡略化できる。
【００１８】
本発明のイオン送風装置では、前記第２電極、前記第３電極、前記第６電極、及び前記第７電極の各電位は、同一の電位に設定されていることが好ましい。
本発明によれば、第２，第３，第６，第７電極を同一の電位に設定したとしても、イオン（マイナスイオンやプラスイオン）の移動方向を所望の移動方向（第１電極から第４電極への方向（第５電極から第８電極への方向））に設定することができる。
そして、第２，第３，第６，第７電極を電気的に接続し、第２，第３，第６，第７電極を同一の電位となるように設定すれば、例えば、第２，第３，第６，第７電極に対して独立した配線を行い、第２，第３，第６，第７電極を異なる電位となるように設定する構成と比較して、第１〜第８電極に対して電圧を印加する構成を簡略化できる。
【００１９】
本発明のイオン送風装置では、イオンを発生させる第５電極、及び前記第５電極に対向する第６電極を有し、前記第５電極から前記第６電極に向うイオン風を発生させる第３送風部と、イオンを発生させる第７電極、及び前記第７電極に対向する第８電極を有し、前記第７電極から前記第８電極に向うイオン風を発生させる第４送風部とを備え、前記第３送風部及び前記第４送風部は、イオン風の流通方向に沿って前記第５電極、前記第６電極、前記第７電極、及び前記第８電極の順に並ぶように配設されているとともに、前記第１送風部及び前記第２送風部に対してイオン風の流通方向が同一方向となるようにそれぞれ並設され、前記第１送風部及び前記第２送風部と前記第３送風部及び前記第４送風部との間には、絶縁性の障壁が設けられていることが好ましい。
【００２０】
本発明では、イオン送風装置は、第１，第２送風部の他、当該第１，第２送風部と同様に、イオン風の流通方向に沿って直列に（第５〜第８電極の順に）配設された第３，第４送風部を備える。そして、第３，第４送風部は、第１，第２送風部に対してイオン風の流通方向が同一方向となるようにそれぞれ並設されている。
このことにより、第１，第２送風部によるイオン風に第３，第４送風部によるイオン風を加えることができるため、イオン送風装置からのイオン風の風量を増加させることができる。
【００２１】
また、第１，第２送風部と第３，第４送風部との間に絶縁性の障壁が設けられている。
すなわち、第２電極と第７電極との間、第３電極と第６電極との間は、障壁により電気的に絶縁されている。
このため、第２，第７電極の各電位の関係や、第３，第６電極の各電位の関係を種々の関係に設定したとしても、第７電極から第２電極に向うイオン（マイナスイオンやプラスイオン）の移動を防止できる。同様に、第３電極から第６電極に向うイオン（マイナスイオンやプラスイオン）の移動も防止できる。
したがって、イオンの移動方向を所望の移動方向に設定して、イオン風の静圧を十分に確保し、かつ、風量を増加させながら、第１〜第８電極に対して印加する電圧の自由度を向上させることができる。
【００２２】
さらに、障壁は、第１，第２送風部によるイオン風の流路や、第３，第４送風部によるイオン風の流路の一部を構成する。
そして、イオン風の流路の一部を構成する障壁を絶縁性の部材で構成することで、イオンが障壁に衝突した場合であっても、電子を失うまたは得ることがなく、引き続き第２，第４，第６，第８電極に向けて引き寄せられることとなる。このため、イオン風の送風を良好に行うことができる。
【００２３】
本発明のプロジェクターは、光源装置と、前記光源装置から出射された光束を変調する光変調装置と、前記光変調装置にて変調された光束を投射する投射光学装置とを備えたプロジェクターであって、上述したイオン送風装置を備えることを特徴とする。
本発明では、プロジェクターは、上述したイオン送風装置を備えるので、静粛化を図りつつ、イオン送風装置にて発生したイオン風により内部の冷却対象を効率的に冷却し、画質の劣化を抑制した画像の投影を行うことができる。
【図面の簡単な説明】
【００２４】
【図１】第１実施形態におけるプロジェクターの概略構成を示す図。
【図２】第１実施形態におけるイオン送風装置の構成を模式的に示す図。
【図３】第１実施形態における第１，第２送風部の構成を模式的に示す図。
【図４】第２実施形態におけるイオン送風装置の構成を模式的に示す図。
【図５】第２実施形態における第１〜第４送風部の構成を模式的に示す図。
【図６】第３実施形態におけるイオン送風装置の構成を模式的に示す図。
【図７】第４実施形態における第１，第２送風部の構成を模式的に示す図。
【図８】第５実施形態における第１〜第４送風部の構成を模式的に示す図。
【図９】第６実施形態におけるイオン送風装置の構成を模式的に示す図。
【発明を実施するための形態】
【００２５】
[第１実施形態]
以下、本発明の第１実施形態を図面に基づいて説明する。
〔プロジェクターの構成〕
図１は、プロジェクター１の概略構成を示す図である。
プロジェクター１は、画像を投射してスクリーン（図示略）上に投影画像を表示する。
そして、このプロジェクター１は、図１に示すように、外装筐体２内部に収納される光学ユニット３及びイオン送風装置４（図２参照）を備える。
【００２６】
〔光学ユニットの構成〕
光学ユニット３は、図１に示すように、発光管３１１及びリフレクター３１２を有する光源装置３１と、レンズアレイ３２１，３２２、偏光変換素子３２３、及び重畳レンズ３２４を有する照明光学装置３２と、ダイクロイックミラー３３１，３３２、及び反射ミラー３３３を有する色分離光学装置３３と、入射側レンズ３４１、リレーレンズ３４３、及び反射ミラー３４２，３４４を有するリレー光学装置３４と、３つの入射側偏光板３５と、３つの光変調装置３６と、３つの出射側偏光板３７と、クロスダイクロイックプリズム３８と、投射光学装置としての投射レンズ３９とを備える。
そして、光学ユニット３では、上述した構成により、光源装置３１から出射され照明光学装置３２を介した光束は、色分離光学装置３３にて赤（Ｒ）、緑（Ｇ）、青（Ｂ）の３つの色光に分離される。また、分離された各色光は、各光変調装置３６にてそれぞれ変調される。変調された各色光は、クロスダイクロイックプリズム３８にて合成されて画像となり、投射レンズ３９にてスクリーンに投射される。
【００２７】
〔イオン送風装置の構成〕
図２は、イオン送風装置４の構成を模式的に示す図である。
イオン送風装置４は、イオンを発生させ、当該イオンを電気的に移動させることで、空気の移動（所謂イオン風）を生じさせる装置である。
本実施形態では、具体的な図示は省略したが、イオン送風装置４は、吸気側の送風装置として利用されている。
すなわち、イオン送風装置４は、外装筐体２に形成された吸気口を介して、外装筐体２外部の空気を内部に導入する。そして、イオン送風装置４は、外装筐体２内部に導入した空気を光源装置３１や光変調装置３６等の冷却対象に向けて送風する。
そして、上述したイオン送風装置４は、図２に示すように、制御装置５Ａと、駆動装置５Ｂと、第１，第２送風部６，７とを備える。
【００２８】
図３は、第１，第２送風部６，７の構成を模式的に示す図である。
第１送風部６は、図３に示すように、第１，第２電極６Ａ，６Ｂを有する。
第１電極６Ａは、第２電極６Ｂに向けて突出した複数の針状突起（図示略）を備える。
第２電極６Ｂは、具体的な図示は省略したが、複数の孔を有するメッシュ状に形成されている（図示略）。
そして、第１送風部６は、制御装置５Ａによる制御の下、以下に示すように、イオン風を生じさせる。
すなわち、本実施形態では、制御装置５Ａは、駆動装置５Ｂの動作を制御し、第１電極６Ａを陰極として機能させ、第２電極６Ｂを陽極として機能させるように、第１，第２電極６Ａ，６Ｂ間に電圧を印加する。
具体的に、制御装置５Ａは、駆動装置５Ｂの動作を制御し、第２電極６Ｂの電位が「＋２ｋＶ」となるように、第１，第２電極６Ａ，６Ｂ間に電圧を印加する。
なお、第１電極６Ａは、図３に示すように、接地されているため、「０Ｖ」の電位である。
【００２９】
そして、第１，第２電極６Ａ，６Ｂ間に電圧が印加されると、第１，第２電極６Ａ，６Ｂ間にコロナ放電が生じる。
また、当該コロナ放電によって、陰極として機能する第１電極６Ａ（複数の針状突起）付近の空気は、図３に示すように、マイナスイオンＭにイオン化され、第１電極６Ａよりも電位の高い第２電極６Ｂに引き寄せられる。そして、マイナスイオンＭの移動により、第１電極６Ａから第２電極６Ｂに向うイオン風Ｗが生じる。
【００３０】
第２送風部７は、図３に示すように、第３，第４電極７Ａ，７Ｂを有し、第１送風部６と同様に、制御装置５Ａによる制御の下、第３，第４電極７Ａ，７Ｂ間に電圧（２ｋＶ）が印加されることで、第３電極７Ａから第４電極７Ｂに向うイオン風Ｗを生じさせる。
ここで、第３電極７Ａは、第１電極６Ａと同様の形状を有し、陰極として機能する。
また、第４電極７Ｂは、第２電極６Ｂと同様の形状を有し、陽極として機能する。
なお、第３電極７Ａは、図３に示すように、第２電極６Ｂと電気的に接続されている。このため、第３，第４電極７Ａ，７Ｂ間に電圧が印加された際、第３電極７Ａの電位は、「＋２ｋＶ」に設定される。また、第４電極７Ｂの電位は、「＋４ｋＶ」に設定される。
以上説明した第１，第２送風部６，７は、図３に示すように、イオン風Ｗの流通方向（図３中、左から右への方向）に沿って、第１〜第４電極６Ａ，６Ｂ，７Ａ，７Ｂの順に並ぶように配設されている。
【００３１】
上述した第１実施形態によれば、以下の効果がある。
本実施形態では、イオン送風装置４は、陰極として機能する第１，第３電極６Ａ，７ＡによりマイナスイオンＭを発生させ、第１，第３電極６Ａ，７Ａから第２，第４電極６Ｂ，７Ｂに向うイオン風Ｗを発生させる第１，第２送風部６，７を備える。そして、第１，第２送風部６，７は、イオン風Ｗの流通方向に沿って直列に（第１〜第４電極６Ａ，６Ｂ，７Ａ，７Ｂの順に）配設されている。
すなわち、第１，第２送風部６，７をイオン風Ｗの流通方向に沿って直列に配設することで、従来の一対の電極のみを有するイオン送風装置と比較して、第１，第２電極６Ａ，６Ｂ間や第３，第４電極７Ａ，７Ｂ間に流れる電流を必要以上に増加させなくても、イオン風Ｗの静圧を高めることができる。
また、第１，第２電極６Ａ，６Ｂ間や第３，第４電極７Ａ，７Ｂ間に流れる電流を抑えることができるため、第１〜第４電極６Ａ，６Ｂ，７Ａ，７Ｂに異物が蓄積することを抑制し、イオン送風装置４の長寿命化が図れる。
したがって、イオン風Ｗの静圧を十分に確保しつつ、イオン送風装置の長寿命化が図れる。そして、静粛化を図りつつ、光源装置３１や光変調装置３６等の冷却対象を効率的に冷却し、画質の劣化を抑制した画像の投影を行うプロジェクター１の提供が図れる。
【００３２】
また、第２，第３電極６Ｂ，７Ａは、電気的に接続され、同一の電位となるように設定されている。
このことにより、第３電極７Ａから第２電極６Ｂに向うマイナスイオンＭの移動を防止し、マイナスイオンＭの移動方向を所望の移動方向（第３電極７Ａから第４電極７Ｂへの方向）に設定することができ、イオン風Ｗの静圧を十分に確保することができる。
また、第２，第３電極６Ｂ，７Ａを電気的に接続し、第２，第３電極６Ｂ，７Ａを同一の電位となるように設定すれば、例えば、第２，第３電極６Ｂ，７Ａに対して独立した配線を行い、第２，第３電極６Ｂ，７Ａを異なる電位となるように設定する構成と比較して、第１〜第４電極６Ａ，６Ｂ，７Ａ，７Ｂに対して電圧を印加する構成を簡略化できる。
【００３３】
[第２実施形態]
次に、本発明の第２実施形態を図面に基づいて説明する。
以下の説明では、前記第１実施形態と同様の構成及び同一部材には同一の符号を付して、その詳細な説明は省略または簡略化する。
図４は、第２実施形態におけるイオン送風装置４の構成を模式的に示す図である。
前記第１実施形態では、イオン送風装置４は、２つの第１，第２送風部６，７を備える。
これに対して、本実施形態では、イオン送風装置４は、図４に示すように、前記第１実施形態で説明した第１，第２送風部６，７の他、２つの第３，第４送風部８，９を備える。その他の構成は、前記第１実施形態と同様のものである。
【００３４】
図５は、第１〜第４送風部６〜９の構成を模式的に示す図である。
第３送風部８は、図５に示すように、第５，第６電極８Ａ，８Ｂを有し、第１送風部６と同様に、制御装置５Ａによる制御の下、第５，第６電極８Ａ，８Ｂ間に電圧（２ｋＶ）が印加されることで、第５電極８Ａから第６電極８Ｂに向うイオン風Ｗを生じさせる。
第４送風部９は、図５に示すように、第７，第８電極９Ａ，９Ｂを有し、第１送風部６と同様に、制御装置５Ａによる制御の下、第７，第８電極９Ａ，９Ｂ間に電圧（２ｋＶ）が印加されることで、第７電極９Ａから第８電極９Ｂに向うイオン風Ｗを生じさせる。
【００３５】
ここで、第５，第７電極８Ａ，９Ａは、第１電極６Ａと同様の形状を有し、陰極として機能する。
また、第６，第８電極８Ｂ，９Ｂは、第２電極６Ｂと同様の形状を有し、陽極として機能する。
以上説明した第３，第４送風部８，９は、図５に示すように、イオン風Ｗの流通方向（図３中、左から右への方向）に沿って、第５〜第８電極８Ａ，８Ｂ，９Ａ，９Ｂの順に並ぶように配設されている。
また、第３，第４送風部８，９は、図５に示すように、第１，第２送風部６，７に対して、イオン風Ｗの流通方向が同一方向となるようにそれぞれ並設されている。
なお、第５電極８Ａは、図５に示すように、第１電極６Ａと同様に、接地されている。このため、第５，第６電極８Ａ，８Ｂ間に電圧が印加された際、第５電極８Ａの電位は、「０Ｖ」に設定される。また、第６電極８Ｂの電位は、「＋２ｋＶ」に設定される。
【００３６】
また、第６，第７電極８Ｂ，９Ａは、第２，第３電極６Ｂ，７Ａと電気的に接続されている。このため、第５，第６電極８Ａ，８Ｂ間、及び第７，第８電極９Ａ，９Ｂ間に電圧が印加された際、第６，第７電極８Ｂ，９Ａの電位は、「＋２ｋＶ」に設定される。
さらに、第８電極９Ｂは、第４電極７Ｂと電気的に接続されている。このため、第７，第８電極９Ａ，９Ｂ間に電圧が印加された際、第８電極９Ｂの電位は、「＋４ｋＶ」に設定される。
【００３７】
上述した第２実施形態によれば、以下の効果がある。
本実施形態では、イオン送風装置４は、第１，第２送風部６，７の他、第１，第２送風部６，７と同様に、第５，第７電極８Ａ，９Ａを陰極として機能させ、第６，第８電極８Ｂ，９Ｂを陽極として機能させ、イオン風Ｗの流通方向に沿って直列に（第５〜第８電極８Ａ，８Ｂ，９Ａ，９Ｂの順に）配設された第３，第４送風部８，９を備える。そして、第３，第４送風部８，９は、第１，第２送風部６，７に対して、イオン風Ｗの流通方向が同一方向となるようにそれぞれ並設されている。
このことにより、第１，第２送風部６，７によるイオン風Ｗに第３，第４送風部８，９によるイオン風Ｗを加えることができるため、イオン送風装置４からのイオン風Ｗの風量を増加させることができる。
【００３８】
また、第６，第７電極８Ｂ，９Ａは、電気的に接続され、同一の電位となるように設定されている。
このことにより、第３，第４送風部８，９において、第７電極９Ａから第６電極８Ｂに向うマイナスイオンＭの移動を防止できる。すなわち、マイナスイオンＭの移動方向を所望の移動方向（第７電極９Ａから第８電極９Ｂへの方向）に設定することができ、イオン風Ｗの静圧を十分に確保することができる。
【００３９】
さらに、第２，第３，第６，第７電極６Ｂ，７Ａ，８Ｂ，９Ａは、電気的に接続され、同一の電位となるように設定されている。
このことにより、第３電極７Ａから第６，第７電極８Ｂ，９Ａに向うマイナスイオンＭの移動を防止できる。同様に、第７電極９Ａから第２，第３電極６Ｂ，７Ａに向うマイナスイオンＭの移動も防止できる。
すなわち、第１〜第４送風部６〜９において、マイナスイオンＭの移動方向を所望の移動方向（第１電極６Ａから第４電極７Ｂへの方向（第５電極８Ａから第８電極９Ｂへの方向））に設定することができ、イオン風Ｗの静圧を十分に確保し、かつ、風量を増加させることができる。
【００４０】
また、第１，第５電極６Ａ，８Ａ間、第２，第３，第６，第７電極６Ｂ，７Ａ，８Ｂ，９Ａ間、第４，第８電極７Ｂ，９Ｂ間は、電気的に接続されている。
このことにより、例えば、第１〜第８電極６Ａ，６Ｂ，７Ａ，７Ｂ，８Ａ，８Ｂ，９Ａ，９Ｂに対して独立した配線を行い、第１〜第８電極６Ａ，６Ｂ，７Ａ，７Ｂ，８Ａ，８Ｂ，９Ａ，９Ｂを異なる電位となるように設定する構成と比較して、第１〜第８電極６Ａ，６Ｂ，７Ａ，７Ｂ，８Ａ，８Ｂ，９Ａ，９Ｂに対して電圧を印加する構成を簡略化できる。
【００４１】
[第３実施形態]
次に、本発明の第３実施形態を図面に基づいて説明する。
以下の説明では、前記第２実施形態と同様の構成及び同一部材には同一の符号を付して、その詳細な説明は省略または簡略化する。
図６は、第３実施形態におけるイオン送風装置４の構成を模式的に示す図である。
本実施形態では、前記第２実施形態に対して、以下の点が異なるのみである。その他の構成は、前記第２実施形態と同様である。
第１の点としては、第３実施形態では、第１，第５電極６Ａ，８Ａ間、第２，第３，第６，第７電極６Ｂ，７Ａ，８Ｂ，９Ａ間、及び第４，第８電極７Ｂ，９Ｂ間は、図６に示すように、電気的に接続されておらず、互い電気的に独立している。
【００４２】
第２の点としては、第３実施形態では、前記第２実施形態に対して、駆動装置５Ｂにより電圧が印加された際の第１〜第８電極６Ａ，６Ｂ，７Ａ，７Ｂ，８Ａ，８Ｂ，９Ａ，９Ｂの電位が異なる。
具体的に、第１電極６Ａは、図６に示すように、接地されていない。そして、制御装置５Ａは、駆動装置５Ｂの動作を制御し、第１電極６Ａの電位が「＋１ｋＶ」、第２電極６Ｂの電位が「＋２ｋＶ」となるように、第１，第２電極６Ａ，６Ｂ間に電圧を印加する。
また、制御装置５Ａは、駆動装置５Ｂの動作を制御し、第３電極７Ａの電位が「＋３ｋＶ」、第４電極７Ｂの電位が「＋４ｋＶ」となるように、第３，第４電極７Ａ，７Ｂ間に電圧を印加する。
【００４３】
さらに、制御装置５Ａは、駆動装置５Ｂの動作を制御し、第６電極８Ｂの電位が「＋１ｋＶ」となるように、第５，第６電極８Ａ，８Ｂ間に電圧を印加する。
なお、第５電極８Ａは、接地されているため、「０Ｖ」の電位である。
また、制御装置５Ａは、駆動装置５Ｂの動作を制御し、第７電極９Ａの電位が「＋１．５ｋＶ」、第８電極９Ｂの電位が「＋２．５ｋＶ」となるように、第７，第８電極９Ａ，９Ｂ間に電圧を印加する。
【００４４】
第３の点としては、第３実施形態では、イオン送風装置４は、図６に示すように、絶縁性の障壁１０が設けられている。
障壁１０は、第１，第２送風部６，７と第３，第４送風部８，９との間に設けられ、第１〜第４送風部６〜９により生じるイオン風Ｗの流通方向に沿って延びる板体で構成されている。そして、障壁１０は、第１，第２送風部６，７により生じるイオン風Ｗの流路と、第３，第４送風部８，９により生じるイオン風Ｗの流路とを互いに独立させている。
【００４５】
上述した第３実施形態によれば、前記第２実施形態と同様の効果の他、以下の効果がある。
本実施形態では、第１，第２送風部６，７と第３，第４送風部８，９との間に絶縁性の障壁１０が設けられている。
すなわち、第１〜第４電極６Ａ，６Ｂ，７Ａ，７Ｂと、第５〜第８電極８Ａ，８Ｂ，９Ａ，９Ｂとの間は、障壁１０により電気的に絶縁されている。
このため、第１〜第４電極６Ａ，６Ｂ，７Ａ，７Ｂの各電位と、第５〜第８電極８Ａ，８Ｂ，９Ａ，９Ｂの各電位との関係を種々の関係に設定したとしても、マイナスイオンＭの移動方向を所望の移動方向（第１電極６Ａから第４電極７Ｂへの方向（第５電極８Ａから第８電極９Ｂへの方向））に設定できる。このため、イオン風Ｗの静圧を十分に確保し、かつ、風量を増加させながら、第１〜第８電極６Ａ，６Ｂ，７Ａ，７Ｂ，８Ａ，８Ｂ，９Ａ，９Ｂに対して印加する電圧の自由度を向上させることができる。
【００４６】
さらに、障壁１０は、第１，第２送風部６，７によるイオン風Ｗの流路や、第３，第４送風部８，９によるイオン風Ｗの流路の一部を構成する。
そして、イオン風Ｗの流路の一部を構成する障壁１０を絶縁性の部材で構成することで、マイナスイオンＭが障壁１０に衝突した場合であっても、電子を失うことなく、引き続き第２，第４，第６，第８電極６Ｂ，７Ｂ，８Ｂ，９Ｂに向けて引き寄せられることとなる。このため、イオン風Ｗの送風を良好に行うことができる。
【００４７】
[第４実施形態]
次に、本発明の第４実施形態を図面に基づいて説明する。
以下の説明では、前記第１実施形態と同様の構成及び同一部材には同一の符号を付して、その詳細な説明は省略または簡略化する。
図７は、第４実施形態における第１，第２送風部６，７の構成を模式的に示す図である。
前記第１実施形態では、イオン送風装置４は、第１，第３電極６Ａ，７Ａを陰極として機能させ、第２，第４電極６Ｂ，７Ｂを陽極として機能させる。そして、イオン送風装置４は、マイナスイオンＭを発生させて、マイナスイオンＭを移動させることで、イオン風Ｗを発生させていた。
これに対して、第４実施形態では、イオン送風装置４は、第１，第３電極６Ａ，７Ａを陽極として機能させ、第２，第４電極６Ｂ，７Ｂを陰極として機能させる。そして、イオン送風装置４は、図７に示すように、プラスイオンＰを発生させて、プラスイオンＰを移動させることで、イオン風Ｗを発生させる。
【００４８】
具体的に、制御装置５Ａは、駆動装置５Ｂの動作を制御して、第２，第３電極６Ｂ，７Ａの電位が「−２ｋＶ」、第４電極７Ｂの電位が「−４ｋＶ」となるように、電圧を印加する。
なお、第１電極６Ａは、接地されているため、「０Ｖ」の電位である。
【００４９】
以上のように、第１，第３電極６Ａ，７Ａを陽極として機能させることで、第１，第３電極６Ａ，７Ａ付近の空気は、図７に示すように、プラスイオンＰにイオン化され、第１，第３電極６Ａ，７Ａよりも電位の低い第２，第４電極６Ｂ，７Ｂに引き寄せられる。そして、プラスイオンＰの移動により、第１，第３電極６Ａ，７Ａから第２，第４電極６Ｂ，７Ｂに向うイオン風Ｗが生じる。
【００５０】
上述した第４実施形態のように、第１，第３電極６Ａ，７Ａを陽極として機能させ、第２，第４電極６Ｂ，７Ｂを陰極として機能させたとしても、前記第１実施形態と同様の効果を享受できる。
【００５１】
[第５実施形態]
次に、本発明の第５実施形態を図面に基づいて説明する。
以下の説明では、前記第２実施形態と同様の構成及び同一部材には同一の符号を付して、その詳細な説明は省略または簡略化する。
図８は、第５実施形態における第１〜第４送風部６〜９の構成を模式的に示す図である。
本実施形態では、前記第２実施形態に対して、前記第４実施形態と同様に、第１，第３，第５，第７電極６Ａ，７Ａ，８Ａ，９Ａを陽極として機能させ、第２，第４，第６，第８電極６Ｂ，７Ｂ，８Ｂ，９Ｂを陰極として機能させる点が異なるのみである。その他の構成は、前記第２実施形態と同様である。
【００５２】
具体的に、制御装置５Ａは、駆動装置５Ｂの動作を制御して、第２，第３，第６，第７電極６Ｂ，７Ａ，８Ｂ，９Ａの電位が「−２ｋＶ」、第４，第８電極７Ｂ，９Ｂの電位が「−４ｋＶ」となるように、電圧を印加する。
なお、第１，第５電極６Ａ，８Ａは、接地されているため、「０Ｖ」の電位である。
【００５３】
以上のように、第１，第３，第５，第７電極６Ａ，７Ａ，８Ａ，９Ａを陽極として機能させることで、前記第４実施形態と同様に、プラスイオンＰの発生とともに、第１，第３，第５，第７電極６Ａ，７Ａ，８Ａ，９Ａから第２，第４，第６，第８電極６Ｂ，７Ｂ，８Ｂ，９Ｂに向うイオン風Ｗが生じる。
【００５４】
上述した第５実施形態のように、第１，第３，第５，第７電極６Ａ，７Ａ，８Ａ，９Ａを陽極として機能させ、第２，第４，第６，第８電極６Ｂ，７Ｂ，８Ｂ，９Ｂを陰極として機能させたとしても、前記第２実施形態と同様の効果を享受できる。
【００５５】
[第６実施形態]
次に、本発明の第６実施形態を図面に基づいて説明する。
以下の説明では、前記第３実施形態と同様の構成及び同一部材には同一の符号を付して、その詳細な説明は省略または簡略化する。
図９は、第６実施形態におけるイオン送風装置４の構成を模式的に示す図である。
本実施形態では、前記第３実施形態に対して、前記第５実施形態と同様に、第１，第３，第５，第７電極６Ａ，７Ａ，８Ａ，９Ａを陽極として機能させ、第２，第４，第６，第８電極６Ｂ，７Ｂ，８Ｂ，９Ｂを陰極として機能させる点が異なるのみである。その他の構成は、前記第３実施形態と同様である。
【００５６】
具体的に、制御装置５Ａは、駆動装置５Ｂの動作を制御して、第１電極６Ａの電位が「−１ｋＶ」、第２電極６Ｂの電位が「−２ｋＶ」、第３電極７Ａの電位が「−３ｋＶ」、第４電極７Ｂの電位が「−４ｋＶ」となるように、電圧を印加する。
また、制御装置５Ａは、駆動装置５Ｂの動作を制御して、第６電極８Ｂの電位が「−１ｋＶ」、第７電極９Ａの電位が「−１．５ｋＶ」、第８電極９Ｂの電位が「−２．５ｋＶ」となるように、電圧を印加する。
なお、第５電極８Ａは、接地されているため、「０Ｖ」の電位である。
【００５７】
以上のように、第１，第３，第５，第７電極６Ａ，７Ａ，８Ａ，９Ａを陽極として機能させることで、前記第５実施形態と同様に、プラスイオンＰの発生とともに、第１，第３，第５，第７電極６Ａ，７Ａ，８Ａ，９Ａから第２，第４，第６，第８電極６Ｂ，７Ｂ，８Ｂ，９Ｂに向うイオン風Ｗが生じる。
【００５８】
上述した第６実施形態のように、第１，第３，第５，第７電極６Ａ，７Ａ，８Ａ，９Ａを陽極として機能させ、第２，第４，第６，第８電極６Ｂ，７Ｂ，８Ｂ，９Ｂを陰極として機能させたとしても、前記第３実施形態と同様の効果を享受できる。
【００５９】
なお、本発明は前述の実施形態に限定されるものではなく、本発明の目的を達成できる範囲での変形、改良等は本発明に含まれるものである。
前記第１実施形態では、第２，第３電極６Ｂ，７Ａを電気的に接続し、同一の電位となるように設定していたが、これに限らず、第３電極７Ａの電位が第２電極６Ｂの電位以上の電位となるように設定していれば、その他の電位に設定しても構わない。なお、前記第２実施形態において、第６，第７電極８Ｂ，９Ａの各電位の関係も同様である。
前記第４実施形態でも同様に、第２，第３電極６Ｂ，７Ａの電位としては、第３電極７Ａの電位が第２電極６Ｂの電位以下の電位となるように設定していれば、その他の電位に設定しても構わない。なお、前記第５実施形態において、第６，第７電極８Ｂ，９Ａの各電位の関係も同様である。
【００６０】
前記第２実施形態では、４つの第１〜第４送風部６〜９において、対角位置に位置付けられる第２，第７電極６Ｂ，９Ａ同士、及び第３，第６電極７Ａ，８Ｂ同士は、電気的に接続され、同一の電位となるように設定されていたが、これに限らない。第７電極９Ａの電位が第２電極６Ｂ及び第６電極８Ｂの各電位以上の電位となるように設定し、第６電極８Ｂの電位が第３電極７Ａの電位以下の電位となるように設定していれば、その他の電位に設定しても構わない。
前記第５実施形態でも同様に、第２，第７電極６Ｂ，９Ａ同士、及び第３，第６電極７Ａ，８Ｂ同士の電位としては、第７電極９Ａの電位が第２電極６Ｂ及び第６電極８Ｂの各電位以下の電位となるように設定し、第６電極８Ｂの電位が第３電極７Ａの電位以上の電位となるように設定していれば、その他の電位に設定しても構わない。
【００６１】
前記各実施形態では、２つの第１，第２送風部６，７のみをイオン風Ｗの流通方向に沿って直列に配設していたが、これに限らず、２つの第１，第２送風部６，７に加えて、他の送風部をもイオン風Ｗの流通方向に沿って直列に配設しても構わない。
この際、３つ以上の送風部間において、イオン風Ｗの流通方向に沿って隣り合う電極同士の各電位の関係としては、以下に設定することが好ましい。
すなわち、マイナスイオンＭの移動に伴ってイオン風Ｗを発生させるイオン送風装置４（前記第１〜第３実施形態）であれば、イオン風Ｗの流路下流側の電極の電位を流路上流側の電極の電位以上の電位に設定する。
また、プラスイオンＰの移動に伴ってイオン風Ｗを発生させるイオン送風装置４（前記第４〜第６実施形態）であれば、逆に、イオン風Ｗの流路下流側の電極の電位を流路上流側の電極の電位以下の電位に設定する。
【００６２】
また、前記第２，第５実施形態では、第３，第４送風部８，９のみを第１，第２送風部６，７にそれぞれ並設し、２列のイオン風Ｗの流路を形成していたが、これに限らず、第１〜第４送風部６〜９に他の送風部を加えて、３列以上の流路を形成しても構わない。
この際、上記列間で互いに隣り合う４つの送風部（例えば、第１〜第４送風部６〜９）において、対角位置に位置付けられる電極同士（例えば、第２，第７電極６Ｂ，９Ａ同士、第３，第６電極７Ａ，８Ｂ同士）の電位の関係は、上記の関係とすることが好ましい。
すなわち、マイナスイオンＭの移動に伴ってイオン風Ｗを発生させる構成であれば、第７電極９Ａの電位が第２電極６Ｂ及び第６電極８Ｂの各電位以上の電位となるように設定し、第６電極８Ｂの電位が第３電極７Ａの電位以下の電位となるように設定する。
また、プラスイオンＰの移動に伴ってイオン風Ｗを発生させる構成であれば、第７電極９Ａの電位が第２電極６Ｂ及び第６電極８Ｂの各電位以下の電位となるように設定し、第６電極８Ｂの電位が第３電極７Ａの電位以上の電位となるように設定する。
【００６３】
前記各実施形態では、イオン送風装置４は、吸気側の送風装置として利用されていたが、これに限らず、その他の送風装置として利用しても構わない。例えば、外装筐体２に形成された排気口を介して、外装筐体２内部の空気を外部に排出する排気側の送風装置として利用しても構わない。また、光源装置３１や制御装置５Ａ、駆動装置５Ｂ等に電力を供給する電源装置にイオン風を送風する送風装置として利用してもよい。
前記各実施形態において、第１〜第８電極６Ａ，６Ｂ，７Ａ，７Ｂ，８Ａ，８Ｂ，９Ａ，９Ｂに対して印加する電圧（電圧値）は、前記第１〜第６実施形態で説明した電圧値とは異なる電圧を印加しても構わない。
【００６４】
前記各実施形態では、光変調装置３６は、３つ設けられていたが、その数は３つに限らず、１つ、２つ、あるいは、４つ以上であっても構わない。
前記各実施形態において、光変調装置３６としては、透過型または反射型の液晶パネルの他、マイクロミラーを用いたデバイス等、液晶以外の光変調装置を採用しても構わない。
前記各実施形態では、イオン送風装置４をプロジェクター１に搭載した構成としていたが、これに限らず、その他の電子機器に搭載しても構わない。
【産業上の利用可能性】
【００６５】
本発明は、プレゼンテーションやホームシアターに用いられるプロジェクターに利用できる。
【符号の説明】
【００６６】
１・・・プロジェクター、４・・・イオン送風装置、６・・・第１送風部、６Ａ・・・第１電極、６Ｂ・・・第２電極、７・・・第２送風部、７Ａ・・・第３電極、７Ｂ・・・第４電極、８・・・第３送風部、８Ａ・・・第５電極、８Ｂ・・・第６電極、９・・・第４送風部、９Ａ・・・第７電極、９Ｂ・・・第８電極、１０・・・障壁、３１・・・光源装置、３６・・・光変調装置、３９・・・投射光学装置、Ｍ，Ｐ・・・イオン、Ｗ・・・イオン風。
【図１】
2013201846.tif 000003
【図２】
2013201846.tif 000004
【図３】
2013201846.tif 000005
【図４】
2013201846.tif 000006
【図５】
2013201846.tif 000007
【図６】
2013201846.tif 000008
【図７】
2013201846.tif 000009
【図８】
2013201846.tif 000010
【図９】
2013201846.tif 000011